(57)【要約】【課題】使用時に外部から振動等の外力が及んでも各部品のガタつきを抑制可能な電子ユニットを提供すること。【解決手段】電子ユニット１は、電子部品及び端子１１が設けられた回路基板１０と、回路基板１０に固定され且つ端子１１を保持する端子ホルダ２０と、端子ホルダ２０に当接するように組み付けられる第１筐体３０と、第１筐体３０との間に端子ホルダ２０を挟むように第１筐体３０に組み付けられる第２筐体４０であって、第１筐体３０が端子ホルダ２０から離れるように移動することを規制するように第１筐体３０に係合するとともに、第２筐体４０から延びる押圧片４５を介して端子ホルダ２０を第１筐体３０に弾性的に押圧することにより、端子ホルダ２０と第１筐体３０とが当接した状態を維持するように構成された、第２筐体４０と、を備える。【選択図】図３
2020038958.tif 000002
【特許請求の範囲】
【請求項１】
電子部品及び入出力用の端子が設けられた回路基板と、
前記回路基板に固定され且つ前記端子を保持する端子ホルダと、
前記端子ホルダに当接するように組み付けられる第１筐体と、
前記第１筐体との間に前記端子ホルダを挟むように前記第１筐体に組み付けられる第２筐体であって、前記第１筐体が前記端子ホルダから離れるように移動することを規制するように前記第１筐体に係合するとともに、当該第２筐体から延びる押圧片を介して前記端子ホルダを前記第１筐体に弾性的に押圧することにより、前記端子ホルダと前記第１筐体とが当接した状態を維持するように構成された、第２筐体と、を備えた、
電子ユニット。
【請求項２】
請求項１に記載の電子ユニットにおいて、
前記第１筐体は、
所定の組付方向に沿って押圧されながら前記端子ホルダに当接しており、
前記第２筐体は、
当該第２筐体に設けられた係合部によって前記第１筐体の被係合箇所と係合し、前記押圧片によって前記端子ホルダの被押圧箇所を押圧し、且つ、前記組付方向における前記係合部と前記押圧片との間隔が、前記組付方向における前記被係合箇所と前記被押圧箇所との間隔よりも狭い、ように構成された、
電子ユニット。
【請求項３】
請求項２に記載の電子ユニットにおいて、
前記第２筐体は、
前記回路基板及び前記端子ホルダを外部から隔離して収容する角筒状の空間を前記第１筐体との間に画成する複数の壁面を有し、
前記係合部は、
前記第２筐体の一の壁面に設けられ、
前記押圧片は、
前記一の壁面から延びるように設けられる、
電子ユニット。
【請求項４】
請求項３に記載の電子ユニットにおいて、
前記一の壁面は、
前記係合部が設けられる第１部分と、前記第１部分よりも前記回路基板に近付く向きにオフセットした第２部分と、前記第１部分と前記第２部分とを繋ぐ第３部分と、を有し、
前記押圧片は、
前記第３部分から片持ち梁状に延びるように構成されている、
電子ユニット。
【請求項５】
請求項２〜請求項４の何れか一項に記載の電子ユニットにおいて、
前記第１筐体は、
前記押圧片を取り囲むように受け入れて前記押圧片が前記組付方向とは異なる方向に変位することを規制する格納部を有する、
電子ユニット。
【請求項６】
請求項２〜請求項５の何れか一項に記載の電子ユニットにおいて、
前記端子ホルダは、
前記組付方向に沿って前記押圧片から離れる向きに窪む凹部を有し、前記凹部の内側に前記被押圧箇所を有する、
電子ユニット。
【発明の詳細な説明】
【技術分野】
【０００１】
本発明は、電子部品が設けられた回路基板を筐体に収容した電子ユニットに関する。
【背景技術】
【０００２】
従来から、電子部品、端子およびコネクタ等が設けられた回路基板と、回路基板を収容するケースと、を有する電子ユニットが提案されている。例えば、従来の電子ユニットの一つは、回路基板に設けられるコネクタが有する突起を、ケースが有する窪みに挿入することで、コネクタとケースとを組み付けるようになっている（特許文献１を参照）。
【先行技術文献】
【特許文献】
【０００３】
【特許文献１】特開２０１４−２１７２５４号公報
【発明の概要】
【発明が解決しようとする課題】
【０００４】
上述した従来の電子ユニットは、コネクタの突起とケースの窪みとの組み付け箇所において、製造上の寸法公差（いわゆる製造ばらつき）等により、突起と窪みとの間に隙間が生じ得る。従来の電子ユニットが自動車などに搭載されて用いられる場合、自動車の走行中の振動が電子ユニットに伝わると、この隙間に起因してコネクタとケースとの間でガタつきが生じる場合がある。電子ユニットはこのようなガタつきが生じ得ることを前提に設計されているものの、ガタつきが過度に大きくなると、電子ユニットの内部の部品（例えば、端子ホルダや回路基板）にも過大な振動などが生じる可能性がある。このような電子ユニットを構成する各部品の振動は、電子ユニットに内蔵された電子部品の適正な作動を保つ観点等において、出来る限り抑制されることが望ましい。
【０００５】
本発明は、上述した事情に鑑みてなされたものであり、その目的は、使用時に外部から振動等の外力が及んでも各部品のガタつきを抑制可能な電子ユニットを提供することにある。
【課題を解決するための手段】
【０００６】
前述した目的を達成するために、本発明に係る電子ユニットは、下記［１］〜［６］を特徴としている。
［１］
電子部品及び入出力用の端子が設けられた回路基板と、
前記回路基板に固定され且つ前記端子を保持する端子ホルダと、
前記端子ホルダに当接するように組み付けられる第１筐体と、
前記第１筐体との間に前記端子ホルダを挟むように前記第１筐体に組み付けられる第２筐体であって、前記第１筐体が前記端子ホルダから離れるように移動することを規制するように前記第１筐体に係合するとともに、当該第２筐体から延びる押圧片を介して前記端子ホルダを前記第１筐体に弾性的に押圧することにより、前記端子ホルダと前記第１筐体とが当接した状態を維持するように構成された、第２筐体と、を備えた、
電子ユニットであること。
［２］
上記［１］に記載の電子ユニットにおいて、
前記第１筐体は、
所定の組付方向に沿って押圧されながら前記端子ホルダに当接しており、
前記第２筐体は、
当該第２筐体に設けられた係合部によって前記第１筐体の被係合箇所と係合し、前記押圧片によって前記端子ホルダの被押圧箇所を押圧し、且つ、前記組付方向における前記係合部と前記押圧片との間隔が、前記組付方向における前記被係合箇所と前記被押圧箇所との間隔よりも狭い、ように構成された、
電子ユニットであること。
［３］
上記［２］に記載の電子ユニットにおいて、
前記第２筐体は、
前記回路基板及び前記端子ホルダを外部から隔離して収容する角筒状の空間を前記第１筐体との間に画成する複数の壁面を有し、
前記係合部は、
前記第２筐体の一の壁面に設けられ、
前記押圧片は、
前記一の壁面から延びるように設けられる、
電子ユニットであること。
［４］
上記［３］に記載の電子ユニットにおいて、
前記一の壁面は、
前記係合部が設けられる第１部分と、前記第１部分よりも前記回路基板に近付く向きにオフセットした第２部分と、前記第１部分と前記第２部分とを繋ぐ第３部分と、を有し、
前記押圧片は、
前記第３部分から片持ち梁状に延びるように構成されている、
電子ユニットであること。
［５］
上記［２］〜上記［４］の何れか一つに記載の電子ユニットにおいて、
前記第１筐体は、
前記押圧片を取り囲むように受け入れて前記押圧片が前記組付方向とは異なる方向に変位することを規制する格納部を有する、
電子ユニットであること。
［６］
上記［２］〜上記［５］の何れか一つに記載の電子ユニットにおいて、
前記端子ホルダは、
前記組付方向に沿って前記押圧片から離れる向きに窪む凹部を有し、前記凹部の内側に前記被押圧箇所を有する、
電子ユニットであること。
【０００７】
上記［１］の構成の電子ユニットによれば、電子ユニットが組み付けられた状態では、第１筐体に当接する端子ホルダを、第２筐体から延びる押圧片が弾性的に押圧するようになっている。この弾性的な押圧は、押圧片の弾性的な変形（湾曲など）によって実現できる。よって、第１筐体と端子ホルダとの間でのガタつきが生じ難い。また、作用反作用の法則により、端子ホルダを押圧する第２筐体も押圧片を介して端子ホルダから弾性的に押圧された状態となるため、第２筐体と端子ホルダとの間でのガタつきも生じ難い。これらの結果、端子ホルダが固定されている回路基板にも、各部品のガタつきに起因する振動が生じ難いことになる。したがって、本構成の電子ユニットは、従来の電子ユニットに比べ、使用時に外部から振動等の外力が及んでも各部品のガタつきを抑制可能である。
【０００８】
上記［２］の構成の電子ユニットによれば、組付方向において、第２筐体の係合部と押圧片との間隔が、第１筐体の被係合箇所と端子ホルダの被押圧箇所との間隔よりも狭い。よって、第１筐体と第２筐体とを組み付けるとき、第２筐体の押圧片を端子ホルダの被押圧箇所に押し付けることで、押圧片の組付方向における長さが短くなるように湾曲等させながら、第２筐体の係合部を第１筐体の被係合箇所に係合させることになる。これにより、第２筐体の弾性片が端子ホルダの被押圧箇所を弾性的に押圧した状態を実現できる。
【０００９】
上記［３］の構成の電子ユニットによれば、第２筐体の係合部と押圧片とが、第２筐体の同じ壁面に設けられる。これにより、係合部と押圧片とを異なる壁面に設ける場合に比べ、第２筐体の構造を単純化でき、電子ユニットの小型化等に貢献できる。
【００１０】
上記［４］の構成の電子ユニットによれば、第２筐体の壁面が、係合部が設けられる第１部分と、第１部分よりも回路基板に近付く向きにオフセットした第２部分と、第１部分と第２部分とを繋ぐ第３部分と、を有する段差付き構造を有している。そして、押圧片は、この段差部分（即ち、第３部分）から片持ち梁状に延びている。これにより、壁面の第１部分や第２部分から片持ち梁状の押圧片を延出および屈曲させて端子ホルダに向かわせる場合に比べ、押圧片が組付方向に沿って延びるシンプルな形状を有することになる。その結果、例えば、意図しない応力集中などを抑制し、押圧片の耐久性を向上できる。換言すると、より大きな弾性力を押圧片から端子ホルダの被押圧箇所に及ぼし得る。よって、本構成の電子ユニットは、使用時に外部から振動等の外力が及んでも各部品のガタつきを更に適正に抑制可能である。
【００１１】
上記［５］の構成の電子ユニットによれば、第２筐体の押圧片は、第１筐体の格納部に取り囲まれ、組付方向とは異なる方向に変位することが規制される。これにより、押圧片が端子ホルダの被押圧箇所を適正に押圧した状態を、より確実に維持できる。その結果、本構成の電子ユニットは、使用時に外部から振動等の外力が及んでも各部品のガタつきを更に適正に抑制可能である。
【００１２】
上記［６］の構成の電子ユニットによれば、端子ホルダが有する凹部の内側に被押圧箇所が設けられ、第２筐体から延びる押圧片がその被押圧箇所を押圧する。よって、例えば、端子ホルダの凹部以外の箇所に被押圧箇所が設けられる場合に比べ、凹部が窪んでいる分、押圧片を長くすることができる。その結果、例えば、組み付け時の押圧片の変形量を増大できる。換言すると、電子ユニットの大型化を避けながら、組み付けの作業性を向上できる。
【発明の効果】
【００１３】
本発明によれば、使用時に外部から振動等の外力が及んでも各部品のガタつきを抑制可能な電子ユニットを提供できる。
【００１４】
以上、本発明について簡潔に説明した。更に、以下に説明される発明を実施するための形態（以下、「実施形態」という。）を添付の図面を参照して通読することにより、本発明の詳細は更に明確化されるであろう
【図面の簡単な説明】
【００１５】
【図１】図１は、第１実施形態に係る電子ユニットの分解斜視図である。
【図２】図２は、組み付けが完了した第１実施形態に係る電子ユニットの斜視図である。
【図３】図３（ａ）は、図２のＡ−Ａ断面図であり、図３（ｂ）は、図２のＢ−Ｂ断面図であり、図３（ｃ）は、押圧片の周囲の寸法関係を説明するための図である。
【図４】図４（ａ）は、図３（ｂ）のＣ−Ｃ断面図であり、図４（ｂ）は、図４（ａ）のＤ−Ｄ断面図である。
【図５】図５は、図４（ｂ）のＥ−Ｅ断面図である。
【図６】図６（ａ）〜図６（ｅ）は、図５のＦ−Ｆ断面図であり、コネクタカバーとメインカバーとを組み付ける際の手順を説明するための図である。
【図７】図７（ａ）は、第２実施形態に係る電子ユニットにおける、回路基板に固定された端子ホルダを後側からみた斜視図であり、図７（ｂ）は、図７（ａ）のＧ部の拡大図である。
【図８】図８（ａ）は、第２実施形態に係る電子ユニットにおける図３（ｂ）に相当する図であり、図８（ｂ）は、図８（ａ）のＨ部の拡大図である。
【発明を実施するための形態】
【００１６】
＜第１実施形態＞
以下、図面を参照しながら、本発明の第１実施形態に係る電子ユニットについて説明する。
【００１７】
図１に示すように、本発明の第１実施形態に係る電子ユニット１は、回路基板１０と、回路基板１０に固定される端子ホルダ２０と、端子ホルダ２０に組み付けられるコネクタカバー３０と、コネクタカバー３０に組み付けられるメインカバー４０と、を備える。電子ユニット１では、互いに組み付けられたコネクタカバー３０及びメインカバー４０により形成される筐体内に、回路基板１０と端子ホルダ２０とが収容される。
【００１８】
以下、説明の便宜上、図１に示すように、前後方向、上下方向、幅方向、前、後、上、及び、下を定義する。前後方向、上下方向、及び幅方向は互いに直交している。前後方向は、電子ユニット１（より具体的には、コネクタカバー３０）と、相手側コネクタが有する相手側ハウジングとの嵌合方向に一致しており、嵌合方向正面側（相手側コネクタに近づく側）が前側に対応し、嵌合方向解除側（相手側コネクタから遠ざかる側）が後側に対応している。以下、電子ユニット１を構成する部材について順に説明する。
【００１９】
先ず、回路基板１０について説明する。図１に示すように、樹脂製の回路基板１０は、矩形平板状の基板であり、回路基板１０の上面には、複数の電子部品（図示省略）が設けられている。また、図３（ａ）にも示すように、回路基板１０には、複数のＬ字状の端子１１も設けられている。本例では、Ｌ字状の端子１１は、上下方向に延びる棒状の基部１２と、基部１２の上端から前方に延びる棒状の先端部１３とからなり、基部１２の下端部が、回路基板１０に固定されて、回路基板１０に形成された導電パターン（図示省略）に電気的に接続されている。
【００２０】
次いで、端子ホルダ２０について説明する。図１に示すように、樹脂製の端子ホルダ２０は、自身の複数箇所（本例では、幅方向両端部の２箇所）に一体に設けられた固定部２１によって、回路基板１０の上面に、ボルト２６（図３（ｂ）参照）を用いて締結固定されている。端子ホルダ２０は、回路基板１０の上面から上方に起立すると共に幅方向に連続する立壁部２２を備えている。
【００２１】
立壁部２２には、複数の端子１１を保持するための複数の端子保持孔２３（図３（ａ）参照）が、前後方向に貫通するように形成されている。複数の端子１１の先端部１３が対応する端子保持孔２３にそれぞれ挿通されることで、回路基板１０に固定された端子ホルダ２０が、複数の端子１１を、先端部１３が前方に向けて延びる向きに保持している。
【００２２】
立壁部２２の上面の幅方向両端部（即ち、２箇所）には、それぞれ、上方に開口し下方に窪み且つ前後方向に貫通する凹部２４と、凹部２４内にて凹部２４の幅方向外側の内壁から幅方向内側に突出する突起部２５と、が一体で設けられている（図１参照）。第１実施形態では、突起部２５の前端面が凹部２４の前端面と面一、且つ、突起部２５の後端面が凹部２４の後端面と面一となっている。凹部２４及び突起部２５の作用については後述する。
【００２３】
次いで、コネクタカバー３０について説明する。図１に示すように、樹脂製のコネクタカバー３０は、前後方向からみて幅方向に延びる略矩形状の周壁部３１を有し、全体として略直方体状の形状を有する。コネクタカバー３０の所定位置には、前方に開口し後方が塞がれた、前方からみて矩形状の形状を有するコネクタ挿入孔３２が形成されている。コネクタ挿入孔３２は、相手側ハウジングを挿入するための孔である。
【００２４】
コネクタ挿入孔３２の後壁（底壁）には、複数の端子１１を挿通するための複数の端子挿通孔３３（図３（ａ）参照）が、前後方向に貫通するように形成されている。電子ユニット１の組付完了状態では、複数の端子１１の先端部１３が対応する端子挿通孔３３にそれぞれ挿通されることで、複数の端子１１の先端部１３（オス端子）が、コネクタ挿入孔３２内に位置する。これにより、コネクタ挿入孔３２に相手側ハウジングを挿入したとき、相手側ハウジングに収容されている相手側端子（メス端子）と端子１１（オス端子）とが接続されて、相手側コネクタと電子ユニット１とが電気的に接続される。
【００２５】
コネクタカバー３０には、コネクタ挿入孔３２の下方位置にて、後方に開口し前方が塞がれた、後方からみて矩形状の形状を有する基板収容孔３４が形成されている（図３（ａ）及び図３（ｂ）参照）。基板収容孔３４は、電子ユニット１の組付完了状態にて、回路基板１０の前端部分を収容するための孔である。
【００２６】
コネクタカバー３０の後壁の上部には、端子ホルダ２０の複数（２つ）の突起部２５に対応する複数箇所（２箇所）にて、それぞれ、柱状の格納部３５が後方に突出するように一体に設けられている（図１、図３（ｂ）及び図４（ａ）参照）。各格納部３５には、幅方向外側に開口し幅方向内側に窪み且つ前後方向に延びて前方に開放された溝部３６が形成されている（図４（ｂ）参照）。格納部３５の溝部３６は、電子ユニット１の組付完了状態にて、端子ホルダ２０の突起部２５及び押圧片４５（後述）を取り囲むように受け入れる部分である。
【００２７】
コネクタカバー３０の周壁部３１における上壁及び下壁の幅方向中央部（即ち、２箇所）には、それぞれ、外側に突出する係止突起３７が一体に形成されている。係止突起３７は、電子ユニット１の組付時にて、メインカバー４０の係止孔４６（後述）と係合することになる。
【００２８】
次いで、メインカバー４０について説明する。図１に示すように、樹脂製のメインカバー４０は、前方に開口し後方が塞がれた矩形筒状の箱状体である。メインカバー４０の前方開口は、コネクタカバー３０の周壁部３１に対応する形状を有しており、メインカバー４０における前方開口を画成する前端部が周壁部３１の外側に重なるように、メインカバー４０とコネクタカバー３０とが組み付け（嵌合）可能となっている。
【００２９】
メインカバー４０の上壁４１は、上壁４１の前方領域を占める平板状の第１部分４２と、上壁４１の後方領域を占めると共に第１部分４２に対して下側にオフセットした平板状の第２部分４３と、第１、第２部分４２，４３を繋ぐ第３部分４４と、で構成されている（図３（ａ）及び図３（ｂ）も参照）。
【００３０】
上壁４１には、図３（ｂ）及び図４（ａ）に示すように、端子ホルダ２０の複数（２つ）の突起部２５に対応する複数箇所（２箇所）にて、それぞれ、第３部分４４の下面（内面）から片持ち梁状に前方に延びる押圧片４５が一体で設けられている。押圧片４５の作用については後述する。
【００３１】
メインカバー４０の前端部には、図１に示すように、コネクタカバー３０の複数（２つ）の係止突起３７に対応する周方向の複数箇所（２箇所）にて、それぞれ、係止突起３７を係止するための係止孔（貫通孔）４６が形成されている。
【００３２】
図３（ｃ）に示すように、電子ユニット１の組付完了状態、即ち、端子ホルダ２０の突起部２５及びメインカバー４０の押圧片４５がコネクタカバー３０の格納部３５に受け入れられて、端子ホルダ２０とコネクタカバー３０とが前後方向に当接している状態において、前後方向において、メインカバー４０の係止孔４６と押圧片４５との間隔Ｌ１は、コネクタカバー３０の係止突起３７と端子ホルダ２０の突起部２５との間隔Ｌ２より若干小さい。
【００３３】
以上、電子ユニット１を構成する部材について説明した。
次いで、図５のＦ−Ｆ断面図である図６を参照しながら、コネクタカバー３０とメインカバー４０とを組み付けて、電子ユニット１を組み付ける際の手順について説明する。
【００３４】
先ず、図６（ａ）に示すように、回路基板１０に固定された端子ホルダ２０に対して、コネクタカバー３０が前方側から組み付けられる。その際、回路基板１０の前端部が、コネクタカバー３０の基板収容孔３４に挿入され、端子ホルダ２０に保持されている端子１１の先端部１３が、コネクタカバー３０の端子挿通孔３３に挿通され、端子ホルダ２０の各凹部２４にコネクタカバー３０の対応する格納部３５が挿通されることで、端子ホルダ２０の各突起部２５がコネクタカバー３０の対応する格納部３５の溝部３６にそれぞれ受け入れられる。前後方向において、コネクタカバー３０が端子ホルダ２０（立壁部２２）に当接していても、図６（ａ）に示すように、コネクタカバー３０と端子ホルダ２０との間に隙間が存在していてもよい。
【００３５】
この状態から、図６（ａ）に示すように、メインカバー４０の前端部がコネクタカバー３０の周壁部３１の外側に重なるように、固定されたコネクタカバー３０に対してメインカバー４０が後方側から前方に近づけられることで、コネクタカバー３０に対するメインカバー４０の嵌合が開始される。その後、メインカバー４０が、後方側から前方へ押圧されて前方に移動していく（固定されたコネクタカバー３０に近づいていく）ことで、嵌合が進行していく。
【００３６】
嵌合が進行すると、図６（ｂ）に示すように、メインカバー４０の各押圧片４５が、コネクタカバー３０の対応する格納部３５の溝部３６にそれぞれ進入して受け入れられ、押圧片４５が、格納部３５の溝部３６に既に受け入れられている端子ホルダ２０の突起部２５に接触する。
【００３７】
押圧片４５が突起部２５に接触した段階では、メインカバー４０の前端部がコネクタカバー３０の係止突起３７に乗り上がった状態になっているものの、係止孔４６は、係止突起３７との係止可能位置までは到達していない。押圧片４５が突起部２５に接触した段階以降、嵌合の進行に応じて、押圧片４５による突起部２５の押圧により、端子ホルダ２０が、コネクタカバー３０に向けて近づいていく（前方に移動していく）。
【００３８】
更に嵌合が進行すると、図６（ｃ）に示すように、端子ホルダ２０がコネクタカバー３０に対して前後方向において当接する。この段階においても、上述したように、「間隔Ｌ１＜間隔Ｌ２」の関係（図３（ｃ）参照）に起因して、係止孔４６は、係止突起３７との係止可能位置までは到達していない。よって、メインカバー４０の前端部は、コネクタカバー３０の係止突起３７に乗り上がった状態に維持されている。
【００３９】
この状態から、メインカバー４０を後方側から前方へ更に押圧すると、押圧片４５が弾性的に変形（例えば、湾曲）することで前後方向の長さが短くなり、且つ、メインカバー４０の上壁４１（特に、第３部分４４の近傍の第２部分４３）が若干上方に湾曲することで、更に嵌合が進行する。その結果、図６（ｄ）に示すように、係止孔４６が、係止突起３７との係止可能位置に到達する。
【００４０】
係止孔４６が、係止突起３７との係止可能位置に到達すると、図６（ｅ）に示すように、係止孔４６に係止突起３７が係止される。これにより、メインカバー４０の前端部が係止突起３７に乗り上がった状態が解消されて、電子ユニット１の組み付け（コネクタカバー３０とメインカバー４０との組み付け）が完了する。
【００４１】
＜第２実施形態＞
次いで、図７及び図８を参照しながら、本発明の第２実施形態に係る電子ユニット２について説明する。第２実施形態に係る電子ユニット１は、第１実施形態に係る電子ユニット１に対して、端子ホルダ２０の凹部２４及び突起部２５、並びに、メインカバー４０の押圧片４５の形状のみが異なる。第２実施形態に係る電子ユニット２における前後方向、上下方向、幅方向、前、後、上、及び、下の定義は、第１実施形態におけるそれらの定義（図１参照）と同じである。
【００４２】
具体的には、第１実施形態では、上述したように、突起部２５の前端面が凹部２４の前端面と面一、且つ、突起部２５の後端面が凹部２４の後端面と面一となっている（図１参照）。これに対し、第２実施形態では、図７（ａ）及び図７（ｂ）に示すように、凹部２４の幅方向外側の内壁において、後方に開口し前方に窪む凹部２７が形成されており、凹部２７の底壁から突起部２５が幅方向内側に突出している。この結果、突起部２５の前端面（図７における紙面奥側の面）は、第１実施形態と同様に凹部２４の前端面と面一である一方で、突起部２５の後端面（図７における紙面手前側の面）は、凹部２４の後端面より、凹部２４が窪んでいる分だけ前方（図７における紙面奥向き）に位置している。
【００４３】
このように、突起部２５の後端面が、凹部２４の後端面より前方に位置していることに起因して、第２実施形態では、第１実施形態と比べて、図３（ｂ）及び図８（ａ）の比較から明らかなように、前方に延びる押圧片４５の延出長さが長くなっている。その結果、第１実施形態と比べて、電子ユニット２の大きさは電子ユニット１と同じに保ちながら、組み付け時の押圧片４５の変形量を増大でき、端子ホルダ２０、コネクタカバー３０及びメインカバー４０を組み付ける際の作業性を向上できる。
【００４４】
以上、本発明の各実施形態に係る電子ユニット１，２によれば、電子ユニット１，２の組付完了状態にて、コネクタカバー３０に当接する端子ホルダ２０（の突起部２５）を、メインカバー４０から延びる押圧片４５が弾性的に押圧している。この弾性的な押圧は、押圧片４５が弾性的に変形（湾曲）し、且つ、メインカバー４０の上壁４１（特に、第３部分４４の近傍の第２部分４３）が若干上方に湾曲することで実現されている。
【００４５】
これにより、コネクタカバー３０と端子ホルダ２０との間でのガタつきが生じ難い。また、作用反作用の法則により、端子ホルダ２０を押圧するメインカバー４０も押圧片４５を介して端子ホルダ２０から弾性的に押圧された状態となるため、メインカバー４０と端子ホルダ２０との間でのガタつきも生じ難い。これらの結果、端子ホルダ２０が固定されている回路基板１０にも、各部品のガタつきに起因する振動が生じ難いことになる。したがって、電子ユニット１，２は、従来の電子ユニットに比べ、使用時に外部から振動等の外力が及んでも各部品のガタつきを抑制可能である。
【００４６】
更に、各実施形態に係る電子ユニット１，２によれば、前後方向（組付方向）において、メインカバー４０の係止孔４６と押圧片４５との間隔Ｌ１が、コネクタカバー３０の係止突起３７と端子ホルダ２０の突起部２５との間隔Ｌ２よりも狭い（図３（ｃ）参照）。このとき、コネクタカバー３０とメインカバー４０とを組み付けるとき、メインカバー４０の押圧片４５を端子ホルダ２０の突起部２５に押し付けることで、押圧片４５の前後方向における長さが短くなるように湾曲等させながら、メインカバー４０の係止孔４６をコネクタカバー３０の係止突起３７に係合させることになる。これにより、メインカバー４０の押圧片４５が端子ホルダ２０の突起部２５を弾性的に押圧した状態を実現できる。
【００４７】
更に、各実施形態に係る電子ユニット１，２によれば、メインカバー４０の係止孔４６と押圧片４５とが、メインカバー４０の同じ上壁４１に設けられる。これにより、係止孔４６と押圧片４５とを異なる壁面に設ける場合に比べ、メインカバー４０の構造を単純化でき、電子ユニット１，２の小型化等に貢献できる。
【００４８】
更に、各実施形態に係る電子ユニット１，２によれば、メインカバー４０の上壁４１が、係止孔４６が設けられる第１部分４２と、第１部分４２よりも回路基板１０に近付く向き（下向き）にオフセットした第２部分４３と、第１部分４２と第２部分４３とを繋ぐ第３部分４４と、を有する段差付き構造を有している。そして、押圧片４５は、この段差部分（第３部分４４）から片持ち梁状に延びている。これにより、上壁４１の第１部分４２や第２部分４３から押圧片４５を延出および屈曲させて端子ホルダに向かわせる場合に比べ、押圧片４５が前後方向（組付方向）沿って延びるシンプルな形状を有する。その結果、例えば、意図しない応力集中などを抑制し、押圧片４５の耐久性を向上できる。換言すると、より大きな弾性力を押圧片４５から端子ホルダ２０の突起部２５（被押圧箇所）に及ぼし得る。よって、電子ユニット１，２は、使用時に外部から振動等の外力が及んでも各部品のガタつきを更に適正に抑制可能である。
【００４９】
更に、各実施形態に係る電子ユニット１，２によれば、メインカバー４０の押圧片４５は、コネクタカバー３０の格納部３５の溝部３６に取り囲まれ、前後方向（組付方向）とは異なる方向に変位することが規制される。これにより、押圧片４５が端子ホルダ２０の突起部２５を適正に押圧した状態を、より確実に維持できる。その結果、電子ユニット１，２は、使用時に外部から振動等の外力が及んでも各部品のガタつきを更に適正に抑制可能である。
【００５０】
更に、第２実施形態に係る電子ユニット２によれば、端子ホルダ２０が有する凹部２７（図７参照）の内側に突起部２５が設けられ、メインカバー４０から延びる押圧片４５が突起部２５を押圧する。よって、第１実施形態に係る電子ユニット１に比べ、凹部２７が窪んでいる分、押圧片４５が長くなっている。その結果、例えば、組み付け時の押圧片４５の変形量を増大できる。換言すると、電子ユニット２の大きさは電子ユニット１と同じでありながら、端子ホルダ２０、コネクタカバー３０及びメインカバー４０を組み付ける際の作業性を向上できる。
【００５１】
更に、各実施形態に係る電子ユニット１，２によれば、コネクタカバー３０とメインカバー４０とが組み付けられた状態（係止孔４６に係止突起３７が係止された状態）にて、メインカバー４０の上壁４１に設けられた段差部分（第３部分４４）の近傍の第２部分４３にて、最大の応力が発生することが、発明者の試験・研究により判明している。これにより、メインカバー４０をリレーボックス等に組み付けるとき、メインカバー４０の最外形が変化してメインカバー４０が組み付け難くなることを回避できる。
【００５２】
＜他の形態＞
なお、本発明は上記各実施形態に限定されることはなく、本発明の範囲内において種々の変形例を採用することができる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５３】
上記各実施形態では、押圧片４５が、上壁４１の段差部分（第３部分４４）に設けられている。これに対し、押圧片４５が、上壁４１の第１部分４２や第２部分４３に設けられてもよい。
【００５４】
更に、上記各実施形態では、メインカバー４０の係止孔４６と押圧片４５とが、メインカバー４０の同じ上壁４１に設けられている。これに対し、メインカバー４０の係止孔４６と押圧片４５とが、メインカバー４０の異なる壁面に設けられていてもよい。
【００５５】
ここで、上述した本発明に係る電子ユニット１，２の実施形態の特徴をそれぞれ以下［１］〜［６］に簡潔に纏めて列記する。
［１］
電子部品及び入出力用の端子（１１）が設けられた回路基板（１０）と、
前記回路基板（１０）に固定され且つ前記端子（１１）を保持する端子ホルダ（２０）と、
前記端子ホルダ（２０）に当接するように組み付けられる第１筐体（３０）と、
前記第１筐体（３０）との間に前記端子ホルダ（２０）を挟むように前記第１筐体（３０）に組み付けられる第２筐体（４０）であって、前記第１筐体（３０）が前記端子ホルダ（２０）から離れるように移動することを規制するように前記第１筐体（３０）に係合するとともに、当該第２筐体（４０）から延びる押圧片（４５）を介して前記端子ホルダ（２０）を前記第１筐体（３０）に弾性的に押圧することにより、前記端子ホルダ（２０）と前記第１筐体（３０）とが当接した状態を維持するように構成された、第２筐体（４０）と、を備えた、
電子ユニット（１）。
［２］
上記［１］に記載の電子ユニット（１）において、
前記第１筐体（３０）は、
所定の組付方向に沿って押圧されながら前記端子ホルダ（２０）に当接しており、
前記第２筐体（４０）は、
当該第２筐体（４０）に設けられた係合部（４６）によって前記第１筐体（３０）の被係合箇所（３７）と係合し、前記押圧片（４５）によって前記端子ホルダ（２０）の被押圧箇所（２５）を押圧し、且つ、前記組付方向における前記係合部（４６）と前記押圧片（４５）との間隔（Ｌ１）が、前記組付方向における前記被係合箇所（３７）と前記被押圧箇所（２５）との間隔（Ｌ２）よりも狭い、ように構成された、
電子ユニット（１）。
［３］
上記［２］に記載の電子ユニット（１）において、
前記第２筐体（４０）は、
前記回路基板（１０）及び前記端子ホルダ（２０）を外部から隔離して収容する角筒状の空間を前記第１筐体（３０）との間に画成する複数の壁面を有し、
前記係合部（４６）は、
前記第２筐体（４０）の一の壁面（４１）に設けられ、
前記押圧片（４５）は、
前記一の壁面（４１）から延びるように設けられる、
電子ユニット（１）。
［４］
上記［３］に記載の電子ユニット（１）において、
前記一の壁面（４１）は、
前記係合部（４６）が設けられる第１部分（４２）と、前記第１部分（４２）よりも前記回路基板（１０）に近付く向きにオフセットした第２部分（４３）と、前記第１部分（４２）と前記第２部分（４３）とを繋ぐ第３部分（４４）と、を有し、
前記押圧片（４５）は、
前記第３部分（４４）から片持ち梁状に延びるように構成されている、
電子ユニット（１）。
［５］
上記［２］〜上記［４］の何れか一つに記載の電子ユニット（１）において、
前記第１筐体（３０）は、
前記押圧片（４５）を取り囲むように受け入れて前記押圧片（４５）が前記組付方向とは異なる方向に変位することを規制する格納部（３５）を有する、
電子ユニット（１）。
［６］
上記［２］〜上記［５］の何れか一つに記載の電子ユニットにおいて、
前記端子ホルダ（２０）は、
前記組付方向に沿って前記押圧片（４５）から離れる向きに窪む凹部（２７）を有し、前記凹部（２７）の内側に前記被押圧箇所（２５）を有する、
電子ユニット（１）。
【符号の説明】
【００５６】
１      電子ユニット
１０    回路基板
１１    端子
２０    端子ホルダ
２５    突起部（被押圧箇所）
２７    凹部
３０    コネクタカバー（第１筐体）
３５    格納部
３７    係止突起（被係合箇所）
４０    メインカバー（第２筐体）
４１    上壁（一の壁面）
４２    第１部分
４３    第２部分
４４    第３部分
４５    押圧片
４６    係止孔（係合部）
【図１】
2020038958.tif 000003
【図２】
2020038958.tif 000004
【図３】
2020038958.tif 000005
【図４】
2020038958.tif 000006
【図５】
2020038958.tif 000007
【図６】
2020038958.tif 000008
【図７】
2020038958.tif 000009
【図８】
2020038958.tif 000010